(57)【要約】【課題】  ＥＳＳ中にユーザーがトナーＣＲＧを取り外した場合、ＥＳＳから復帰して、記録の前回転でのトナーＣＲＧとトナー残検を行うまでトナーＣＲＧがはずされていることがわからない構成となっていた。このため記録を開始するまでトナーＣＲＧの有無が確認でないため不便な点があった。【解決手段】  ＥＳＳ中記録カバーの開閉する毎にＥＳＳから一旦復帰し、トナーＣＲＧの有無とトナー残量検知を行う構成にした。【選択図】  図１
2008040425.tif 000002
【特許請求の範囲】
【請求項１】
省エネのための低消費電力モード（ＥＳＳモード）を持った通信装置において、
前記ＥＳＳモードを設定する設定手段と、
前記ＥＳＳモード中に記録カバーの開閉を検知する記録カバー検知手段と、
前記ＥＳＳから復帰するための復帰要因を検知するための復帰要因検知手段と、
トナーカートリッジの有無を検知するためのトナーカートリッジ有無検知手段と
トナーカートリッジのトナー残量検知を行うトナー残量検知手段を持ち、
前記トナーカートリッジの装着は、前記記録カバーを開けて行う構造とし、
前記ESSモード中に記録カバーを開閉した場合、記録カバーを閉めた直後に
前記ESSから復帰させ、前記トナーカートリッジ有無検知手段によってトナーカートリッジが有りと検知したならば、前記トナー残量検知手段によってトナー残量検知を行い、トナー有りと検知したなら前記ESSモードへ移行することを特徴とする通信装置。
【請求項２】
請求項１において
前記ESSモード中に記録カバーを開閉した場合、記録カバーを閉めた直後に
前記ESSから復帰させ、前記トナーカートリッジ有無検知と前記トナー残量検知を行い
トナーカートリッジ無しまたは、トナー残量無しなら待機状態でランプを点灯し警告を発生することを特徴とする通信装置。
【請求項３】
請求項１において
前記設定手段は、ソフトウェアスイッチによることを特徴とする通信装置。
【発明の詳細な説明】
【技術分野】
【０００１】
本発明は、省エネ・スタンバイ（ＥＳＳ；Ｅｎｅｒｇｙ Ｓａｖｅ Ｓｔａｎｄｂｙ）モードを備えた通信装置に関する。
【背景技術】
【０００２】
従来より、省エネ・スタンバイモードを備えた画像通信装置が提供されている。
【０００３】
最近各国から電子機器の消費電力に関する規制が出されている。画像通信装置においても、記録速度に応じてスタンバイモードにおける消費電力が規格化されている。この消費電力を抑えた省エネ・スタンバイモードをＥＳＳ（エナジー・セイブ・スタンバイ）と呼んでいる。
【０００４】
通常のスタンバイとＥＳＳモードとの切替えはソフトウェアスイッチ等によりユーザによって容易に設定可能である。
【０００５】
ここで、通常スタンバイモードとは、送信、受信、コピー等の動作をしていない待機状態（スタンバイ）で、省エネのための工夫をしていないモードを言う。
【０００６】
この省エネを考慮したスタンバイモードにするための手段はいくつかあるが、１つの方法として、電源を２個（メイン電源とスタンバイ電源）持ち、電源スイッチのオンでスタンバイ電源が立ち上り、メイン電源の入力はリモート信号を制御することにより、メイン電源の発振をオン・オフするように構成されたものがある。
【０００７】
前記リモート信号の制御は、スタンバイ制御回路によって行っている。スタンバイ電源からの電力がスタンバイ制御回路に印加されている状態で、スタンバイ制御回路がメイン電源の起動要因を検知すると、スタンバイ制御によって前記リモート信号がオンされて、メイン電源が立ち上る。
【０００８】
しかし、前記ESSモード中にトナーカートリッジを取り出した場合は、ESSからの復帰要因でたちあがったときにトナーカートリッジの有無検知とトナー残量検知によって、トナーカートリッジの有無を検知していたため、操作したときにトナーカートリッジ無しが判るため、いざというとき不便なことがあった。
【０００９】
従来例としては、例えば特許文献１と特許文献２をあげることが出来る。
【特許文献１】特開2003-186357号公報
【特許文献２】特開2004-029396号公報
【発明の開示】
【発明が解決しようとする課題】
【００１０】
しかしながら、前記ＥＳＳモード中に記録カバーを開けてトナーカートリッジを取り出しても、ESS復帰要因によって立ち上がったとき、または、オペレータが操作するまで、トナーカートリッジが無いことを知ることができなかった。前記記録カバーが開いていれば、トナーカートリッジの有無は、目視で確認できるが、前記記録カバーが閉まっている場合は、オペレータには、分からない。
【００１１】
そこで本発明では、省エネ・モード（ＥＳＳ）モード中に前記記録カーバー開閉した場合、カバーを閉めた直後に前記ESSから復帰させ前記トナーカートリッジの有無と前記トナー残量検知を行うことで、前記ESS復帰要因によって立ち上がったときに前記トナーカートリッジが無いことが発生しないようにした通信装置を提供することを目的とする。
【課題を解決するための手段】
【００１２】
本発明は、省エネのための低消費電力モード（ＥＳＳモード）を持った通信装置において、
前記ＥＳＳモードとを設定する設定手段と、
前記ＥＳＳモード中に記録カバーの開閉を検知する記録カバー検知手段と、
前記ＥＳＳから復帰するための復帰要因を検知するための復帰要因検知手段と、
トナーカートリッジの有無を検知するためのトナーカートリッジ有無検知手段と
トナーカートリッジのトナー残量検知を行うトナー残量検知手段を持ち、
前記トナーカートリッジの装着は、前記記録カバーを開けて行う構造とし、
前記ESSモード中に記録カバーを開閉した場合、記録カバーを閉めた直後に前記ESSから復帰させ、前記トナーカートリッジ有無検知手段によって
トナーカートリッジの有無を検知し、有りならば、前記トナー残量検知手段によってトナー残量を検知し、トナー有りならば、前記ESSモードへ移行する。
【００１３】
一方、前記トナーカートリッジが無しの場合、或いは有無を検知し、前記トナーが無しなら待機状態で警告を発生することを特徴とする通信装置。
【発明の効果】
【００１４】
以上説明したように、本特許によれば、ＥＳＳモード中に、記録カバーの開閉があった場合は、記録カバーを閉じたとき、ＥＳＳモードから復帰させてトナーＣＲＧの有無検知とトナー残量検知を行い、前記検知で有りなら、ＥＳＳモードに戻る。
【００１５】
一方、前記トナーＣＲＧの有無検知とトナー残量検知で無しの場合は、ＥＳＳモードに移行しないで警告を出す。
【発明を実施するための最良の形態】
【００１６】
図１は、本発明の一実施例による通信装置（ファクシミリ装置）の構成を示すブロック図である。
【００１７】
ＣＰＵ１は、ＲＯＭ２に記憶されているプログラムに従って通信装置全体をコントロールする。ＳＲＡＭ３とＤＲＡＭ４は電池でバックアップされており、停電時または電源２０が遮断された状態にあっても保存しておくべきデータを記憶しておくものである。前記ＳＲＡＭ３は、短縮ダイヤルやワンタッチダイヤルやソフトウェアスイッチを記憶するメモリである。また、前記ＤＲＡＭ４は主に画像データを記憶するメモリである。水晶発振２２は、ＣＰＵ１にシステムクロックを供給するものである。
【００１８】
ＰＭ６は、パワーマネージメント回路であり、システムリセット、ウォッチドックタイマＤＲＡＭ４およびＳＲＡＭ３のバックアップ制御、一次電池７および二次電池８の充放電回路等により構成されている。
【００１９】
システム制御部９は、システム制御ＩＣであり、汎用ポート、ＤＲＡＭコントローラ、バスマスタリアルタイムポート、ＳＬＡＶＥ−ＵＰＩのインターフェース、ＣＩ検出タイマ、パネルインターフェース、汎用タイマ、クロックジェネレータ、ＥＳＳ制御回路等により構成されている。尚、システム制御部９は２つの発振回路２５、２６によって生成されるタイミング信号によって動作する。
【００２０】
また、ＬＣＤコントローラ１４は、操作パネル１９の不示図のＬＣＤユニットを制御するＬＣＤ制御回路や汎用Ｉ／Ｏ等から構成されている。尚、ＬＣＤコントローラ１４は発振回路２４によって生成されるタイミング信号によって動作する。
【００２１】
また、一次電池７は、ＳＲＡＭ３のバックアップ時の電源に使用しており、二次電池８は、ＤＲＡＭ４のバックアップ時の電源に使用するもので、充電が可能である。ＲＴＣ( リアルタイムクロック )５は、通信に日時を表示するときに使い、一次電池７でバックアップされる構成である。
【００２２】
電源２０は、通信装置に直流電源を供給するもので、電源スイッチオンによりＡＣ電源 ２１を入力すると、複数の直流電圧が出力される構成となっている。そして、この電源２０はスタンバイ電源部とメイン電源部で構成されており、メイン電源部はリモート制御でＣＰＵ１によってリモート信号を制御することによって電圧出力のオン・オフ制御を行なっている。
【００２３】
メイン電源は記録部を駆動するための３．３Ｖ、モータやプランジャーを駆動するための２４Ｖ、通信系のアナログ回路を駆動するための１２Ｖ、電話機のフック検知用の１８Ｖで構成される。
【００２４】
スタンバイ電源は通信装置のシステム制御部を駆動するための５Ｖまたは３．３Vで構成される。
【００２５】
リモート信号によってメイン電源をオン・オフするときに同期して、スタンバイ電源の発振周波数を下げ（約３０KHｚ以下）、間欠発振するための制御を行う。メイン電源がオンのときは、スタンバイ電源は元の発振周波数（約１００ＫHz程度）に戻る。ESS状態のときは、メイン電源をオフし、スタンバイ電源は、５Vまたは３．３Vのみが立ち上がっている。このときの消費電流はスタンバイ時の１/１０以下となるため、電源効率が悪くなる。（通常、電源の効率は定格負荷時にもっとも良くなるように設計している。）このため、余分な電力を電源で消費することになる。これを避けるため、電源の発振周波数を下げ、間欠発振させることで、ESS時の負荷電流に対して電源の効率が最適になるように構成にする。あらかじめ電源２次側の消費電流によって効率の良いスイッチング周波数と間欠発振の組み合わせを設定しておき、これによって、電源自身の消費電力を少なくすることができる。
【００２６】
ＣＯＤＥＣ１０は、送信データの符号化、および受信データの符号化を行うものであり、読取部１１は、ファクシミリ送信時やコピー時に、撮像装置（ＣＳ）２７によって原稿画像の読取りを行うものである。
【００２７】
記録部１２は、ファクシミリ受信時やコピー時に画像の印字出力を行うものであり、モデム部１３は、送信データの変調や受信データの復調を行うものである。尚、モデム部１３は発振回路２３によって生成されるタイミング信号によって動作する。
【００２８】
不示図の前記記録カバーは、前記トナーカートリッジ装填部の開閉可能なカバーで、前記記録部で開閉検知を行っている。
【００２９】
次に、図２、図３は、本実施例のファクシミリ装置における制御動作を示すフローチャートである。
【００３０】
次に、図２のフローチャートに基づいてＥＳＳへの移行手順を説明する。尚、通常のスタンバイ（待機）とＥＳＳの選択は、操作パネル１９からソフトウェアスイッチによるモード選択により行うものである。
【００３１】
まず、送信、受信、コピー動作の終了後（Ｓ１）に、待機状態となり（Ｓ２）、ＥＳＳへの移行判断を行う。すなわち、ソフトウェアスイッチをＥＳＳにセット（ＥＳＳフラグ＝１）しているか否かを判断し、セットしている場合には（Ｓ３）、ＥＳＳ移行へ向かう。
【００３２】
次に、送信や受信、コピーなど一連の動作終了後に、システムを起動させるための起動要因が所定時間無い場合（Ｓ５、Ｓ６）、自動的にＥＳＳ状態に移行する。尚、ここで所定時間は、操作部から予め設定しておくものとする。また、起動要因としては、圧板開、呼出信号（ＣＩ）の着信、タイマの出力信号の到来、電話機のフックアップ、原稿有り、記録カバー開閉の閉めたとき、操作パネルの起動スイッチ（ＥＳＳキー）を押した時に起動する構成となっている。
【００３３】
ＥＳＳに設定されて所定時間にわたって起動要因が無い場合は、次のように動作する。まず、ＥＳＳに移行するため、ＥＳＳのリセット信号を出力する（Ｓ７）。次に、記録部１２に供給しているモータ用の２４Ｖ、通信用のアナログ電源 １２Ｖ、フック検知用電源 ２４Ｖなどのメイン電源を前記電源２０のリモート信号を制御してオフする。（Ｓ８）また、これと同時にスタンバイ電源５の発振周波数を下げ間欠発振させる。（Ｓ８）
次に、システムクロック以外の発振回路、例えばモデム１３のＯＳＣ２３とＦＵＮＫ９のＯＳＣ２５、２６とＬＣＤＣ１４のＯＳＣ２４など、タイミングを形成する発振回路をＣＰＵ１からの制御で発振停止する。（Ｓ９）。
【００３４】
次にモデム１３はスリープモード機能を持っているので、スリープモードにする。また、その他のＣＰＵ１周辺で、スタンバイ電源を供給しているＩＣについても、スリープ・モードを持っているＩＣは、スリープモードに制御する（Ｓ１０）。
【００３５】
次に、ＣＰＵ１はＳＴＯＰ命令を実行し、次いでＣＰＵ１の発振回路で発振しているＣＰＵ１の駆動クロックを停止し、これによりシステムはＥＳＳ状態となる。（Ｓ１１）
このとき、ＣＰＵ１やパラレルＩ／Ｏから出力されるリレーや電源のリモート、擬似呼出信号などの制御を行う出力ポートは、ＳＴＯＰ命令実行前の状態を保持した状態で静止する。ＣＰＵ１や周辺ＩＣのデーターバス、アドレスバスは、ハイインピーダンス、あるいは抵抗でプルダウンしてローレベルになり、ＥＳＳへ移行する。このＥＳＳモードでは、メインシステムのＣＰＵはＳＴＯＰ状態となり、記録部１２は、記録カバーの開閉で閉じたとき、ＥＳＳから復帰する。
【００３６】
次に、図３のフローチャートに基づいてＥＳＳからのシステム起動手順を説明する。
【００３７】
これは、ＥＳＳへの移行動作とは逆になる。まず、ＥＳＳ状態（Ｓ１２）において、上述した起動要因があると（Ｓ１３）、モデムや周辺ＩＣのスリープを解除し（Ｓ１４）、メイン電源をオンし、これと同時にスタンバイ電源の電圧を元に戻す。（Ｓ１５）、上述した各種タイミング用のクロック発振を再開する。（Ｓ１６）
そして、ＥＳＳリセットを解除し（Ｓ１７）、ＥＳＳ中の記録カバーが開閉あったかの判断を行い（Ｓ１８）。
【００３８】
記録カバーの開閉があった場合は、トナーＣＲＧの有無検知とトナー残量検知（Ｓ１９）を行い、トナーＣＲＧ無しまたは、トナー残量無しの場合は、待機状態で操作部のタリ-ランプ等を点灯させ警告する。一方、トナーＣＲＧ有りでトナー残量有りならさらに起動要因の有無を監視し、ＥＳＳモードに戻るか、通常の待機状態に復帰するかを判断する（Ｓ２０〜Ｓ２２）。
【００３９】
一方、記録カバーの開閉がなかった場合は、トナーＣＲＧの有無検知とトナー残量検知を行わないで、さらに起動要因の有無を監視し、ＥＳＳモードに戻るか、通常の待機状態に復帰するかを判断する（Ｓ２０〜Ｓ２２）。
【図面の簡単な説明】
【００４０】
【図１】本発明の一実施例を示すブロック図である。
【図２】上記実施例における動作を示すフローチャートである。
【図３】上記実施例における動作を示すフローチャートである。
【符号の説明】
【００４１】
１  ＣＰＵ
２  ＲＯＭ
３  ＳＲＡＭ
４  ＤＲＡＭ
５  ＲＴＣ
６  ＰＭ
７  １次電池
８  ２次電池
９  システム制御部
１０  ＣＯＤＥＣ
１１  読取部
１２  記録部
１３  モデム部
１４  ＬＣＤＣ
１５  ＮＣＵ部
１６  回線
１７  本電話機
１８  子電話／留守番電話機
１９  操作パネル
２０  直流電源
【図１】
2008040425.tif 000003
【図２】
2008040425.tif 000004
【図３】
2008040425.tif 000005